(57)【要約】【課題】部品点数を増やさずに、簡単な構造で、常に安定したクランプ力を確保できるディスク駆動用モータ及びこれを備えたディスク駆動装置を提供する。【解決手段】断面略Ｔ字状のシャフト１２の上端部は、径方向外方に延伸する円板状のヨーク３２が一体形成され、ターンテーブル１４の上面中央に形成された凹部にヨーク３２が接着固定され、これによりシャフト１２とターンテーブル１４とが一体化されている。ターンテーブル１４の外周付近の上面にはディスク３４の滑り止めを兼ねる円環状の緩衝材３６が取り付けられ、この緩衝材３６を介してディスク３４が載置される。ディスク３４は、駆動装置側に設けられたクランパに取り付けられたクランプマグネットと、磁性材料である鉄製のヨーク３２との間の磁気吸引力によって固定される。【選択図】　　　　図１
2004055049.tif 000002
【特許請求の範囲】
【請求項１】
ロータと一体となって回転するシャフトと、前記ロータに装着されたロータマグネットに対向するように配設されたステータと、前記シャフトに設けられ交換型のディスクが載置されるターンテーブルとを備え、前記ターンテーブル上の前記ディスクを前記ターンテーブルに磁気吸引されるクランパとの間で当該ターンテーブル上に固定し、該ターンテーブルと共に回転するディスク駆動用モータにおいて、
前記ターンテーブルには前記クランパとの間で磁路を形成するヨークが設けられ、かつ該ヨークは前記シャフトに一体に形成されていることを特徴とするディスク駆動用モータ。
【請求項２】
ロータと一体となって回転するシャフトと、前記ロータに装着されたロータマグネットに対向するように配設されたステータと、前記シャフトに設けられ交換型のディスクが載置されるターンテーブルとを備え、前記ターンテーブル上の前記ディスクを前記ターンテーブルに磁気吸引されるクランパとの間で当該ターンテーブル上に固定し、該ターンテーブルと共に回転するディスク駆動用モータにおいて、
前記ターンテーブルは樹脂成形品よりなり、該ターンテーブルの成形時に前記クランパとの間で磁路を形成するヨークが一体成形されることを特徴とするディスク駆動用モータ。
【請求項３】
ロータと一体となって回転するシャフトと、前記ロータに装着されたロータマグネットに対向するように配設されたステータと、前記シャフトに設けられ交換型のディスクが載置されるターンテーブルとを備え、前記ターンテーブル上の前記ディスクを前記ターンテーブルに磁気吸引されるクランパとの間で当該ターンテーブル上に固定し、該ターンテーブルと共に回転するディスク駆動用モータにおいて、
前記シャフトに、前記クランパとの間で磁路を形成するヨークが設けられたヨーク形成体を直接固定し、該ヨーク形成体の外周部に前記ターンテーブルが設けられていることを特徴とするディスク駆動用モータ。
【請求項４】
前記ターンテーブルは樹脂成形品からなり、前記ヨーク形成体に一体成形されている請求項３記載のディスク駆動用モータ。
【請求項５】
前記ヨーク形成体は板金プレス品からなり、該プレス品の一部の切り起こしにより前記ヨークが形成されている請求項３又は４記載のディスク駆動用モータ。
【請求項６】
請求項１乃至５に記載したディスク駆動用モータを有することを特徴とするディスク駆動装置。
【発明の詳細な説明】
【０００１】
【発明の属する技術分野】
本発明は、ＣＤ−ＲＯＭ、ＣＤ−Ｒ、ＣＤ−ＲＷ、ＤＶＤ、ＤＶＤ−ＲＡＭ等の交換型のディスクを回転駆動するためのディスク駆動用モータ及びこれを備えたディスク駆動装置に関する。
【０００２】
【従来の技術】
ＣＤ−ＲＯＭ等の交換型のディスクを回転駆動するためのディスク駆動装置においては、ディスクはターンテーブルに着脱自在に装着される。ターンテーブルに載置されたディスクは、上からクランパで押さえられ、クランパとターンテーブルとの間の磁気的吸引力によりターンテーブル上に固定される。
【０００３】
従来のディスク駆動装置においては、図６に示すとおり、ディスク駆動用モータの回転シャフト７０の上端部に略円板状の合成樹脂製のターンテーブル７４が取り付けられ、このターンテーブル７４に、クランパ側のマグネットとの間で磁気吸引力を発生させるヨーク７２が取り付けられている。すなわち、ターンテーブル７４におけるシャフト７０の近傍には円環状の凹溝７４ａが設けられ、その凹溝７４ａにはその底面から突出する複数個の突出部７４ｂが等間隔の位置に配置されている。磁性体のヨーク７２は、断面略凹状で円環状であり、凹溝７４ａに嵌合する大きさに形成され、その底壁には突出部７４ｂに対応して複数の穴が開けられており、各突出部７４ｂを底壁の穴にはめ込みながらヨーク７２を凹溝７４ａに嵌合し、ヨークの底壁より突出した突出部７４ｂの先端部を例えば超音波溶着機を用いて溶融することにより、ヨーク７２がターンテーブル７４に溶着固定されている。場合によっては、ヨーク７２をターンテーブル７４へ固定するために接着剤を併用している。
【０００４】
【発明が解決しようとする課題】
近年、ＣＤ−ＲＯＭ等の交換型のディスク駆動装置においては、ディスクのデータの読み／書きの時間短縮を目指すため、ディスクの回転速度が高速化している。よって、高速回転時にディスクが移動しないよう、十分なディスククランプ力が必要となる。従来のディスク駆動装置にあっては、ヨーク７２をターンテーブル７４に接着や溶着にて固定しているが、この接着や溶着が不十分であったり、接着・溶着の作業抜けが生じると、ターンテーブルとヨークとの固定が不十分となり、ヨークがターンテーブルから外れてしまい、クランプ機能が不完全になり、ディスクの振れによるデータの読み／書きのエラーの発生、ディスクの損傷、ディスクの着脱不能等を生じる問題があった。
【０００５】
本発明は上記問題点に鑑みなされたものであり、部品点数を増やさずに、簡単な構造で、常に安定したクランプ力を確保できるディスク駆動用モータ及びこれを備えたディスク駆動装置を提供することを目的とする。
【０００６】
【課題を解決するための手段】
請求項１に記載の発明は、ロータと一体となって回転するシャフトと、前記ロータに装着されたロータマグネットに対向するように配設されたステータと、前記シャフトに設けられ交換型のディスクが載置されるターンテーブルとを備え、前記ターンテーブル上の前記ディスクを前記ターンテーブルに磁気吸引されるクランパとの間で当該ターンテーブル上に固定し、該ターンテーブルと共に回転するディスク駆動用モータにおいて、前記ターンテーブルには前記クランパとの間で磁路を形成するヨークが設けられ、かつ該ヨークは前記シャフトに一体に形成されている。
【０００７】
請求項２に記載の発明は、ロータと一体となって回転するシャフトと、前記ロータに装着されたロータマグネットに対向するように配設されたステータと、前記シャフトに設けられ交換型のディスクが載置されるターンテーブルとを備え、前記ターンテーブル上の前記ディスクを前記ターンテーブルに磁気吸引されるクランパとの間で当該ターンテーブル上に固定し、該ターンテーブルと共に回転するディスク駆動用モータにおいて、前記ターンテーブルは樹脂成形品よりなり、該ターンテーブルの成形時に前記クランパとの間で磁路を形成するヨークが一体成形されている。
【０００８】
請求項３に記載の発明は、ロータと一体となって回転するシャフトと、前記ロータに装着されたロータマグネットに対向するように配設されたステータと、前記シャフトに設けられ交換型のディスクが載置されるターンテーブルとを備え、前記ターンテーブル上の前記ディスクを前記ターンテーブルに磁気吸引されるクランパとの間で当該ターンテーブル上に固定し、該ターンテーブルと共に回転するディスク駆動用モータにおいて、前記シャフトに、前記クランパとの間で磁路を形成するヨークが設けられたヨーク形成体を直接固定し、該ヨーク形成体の外周部に前記ターンテーブルが設けられている。
【０００９】
請求項４に記載の発明は、請求項３記載のディスク駆動用モータにおいて、前記ターンテーブルは樹脂成形品からなり、前記ヨーク形成体に一体成形されている。
【００１０】
請求項５に記載の発明は、請求項３又は４記載のディスク駆動用モータにおいて、前記ヨーク形成体は板金プレス品からなり、該プレス品の一部の切り起こしにより前記ヨークが形成されている。
【００１１】
請求項６に記載の発明は、請求項１乃至５に記載したディスク駆動用モータを有することを特徴とするディスク駆動装置である。
【００１２】
【発明の実施の形態】
以下、本発明にかかるディスク駆動用モータ及びこれを備えたディスク駆動装置の実施形態について図１乃至図５を参照して説明する。なお、本発明は以下に示す実施形態に限定されるものではないことは明白である。
【００１３】
図１は、本発明の第１の実施形態にかかるディスク駆動用モータの断面図である。図２は、本発明の第２の実施形態にかかるディスク駆動用モータの要部拡大断面図である。図３は、本発明の第２の実施形態にかかるディスク駆動用モータのヨーク周辺の要部拡大断面図である。図４は、本発明の第３の実施形態にかかるディスク駆動用モータの要部拡大断面図である。図５は、本発明の第４の実施形態にかかるディスク駆動用モータの要部拡大断面図である。
【００１４】
まず、図１に図示されるディスク駆動用モータについて説明する。モータシャーシ等の固定部材２の適所には開口を形成する短円筒部２ａが設けられ、これに有底略円筒状をなす軸受ハウジング４の下部が圧入や接着のような手段で装着され、軸受ハウジング４の外周には、ステータ８が設けられている。軸受ハウジング４の内側には略円筒状のスリーブ１０が設けられ、軸受ハウジング４の底部にはスラスト受部材６が配設されている。
【００１５】
シャフト１２はその下半部がスリーブ１０内に挿入されてラジアル回転支持されると共に、その下端がスラスト受部材６に当接し、スラスト支持されている。シャフト１２の下端部には環状の溝１２ａが形成され、軸受ハウジング４の下部にスリーブ１０にて押圧固定された抜け止め部材１８がこの溝１２ａに係合し、シャフト１２の抜けを防止している。軸受ハウジング４より導出したシャフト１２の上半部には、下側にカップ状のロータ１６が取り付けられ、上側にターンテーブル１４が取り付けられている。
【００１６】
スリーブ１０は多孔質焼結材料製であり、その上端面には、スリーブ１０に含浸されている潤滑油の蒸発を防ぐためにキャップ２０が設けられている。ロータ１６の円筒壁内周には円環状のロータマグネット２２がステータ８と対向するように取り付けられている。
【００１７】
略円板状のターンテーブル１４には、内壁部１４ａ、外壁部１４ｂが設けられ、断面略Ｌ字状の収容部材２４によって、内壁部１４ａと外壁部１４ｂとの間の空間が閉塞され、断面略四角形の環状空間２６が形成される。ロータ１６の上面と、収容部材２４の下面は当接している。この環状空間２６には、モータのアンバランスを補正するため、複数個の球体２８が収容されている。このバランス補正機構３０によって、モータの回転時にアンバランスが生じても各球体２８のバランス補正位置への移動によって、アンバランスを補正する。
【００１８】
断面略Ｔ字状のシャフト１２の上端部は、径方向外方に延伸する円板状のヨーク３２が一体形成され、ターンテーブル１４の上面中央に形成された凹部にヨーク３２が接着固定され、これによりシャフト１２とターンテーブル１４とが一体化される。ターンテーブル１４の外周付近の上面にはディスク３４の滑り止めを兼ねる円環状の緩衝材３６が取り付けられ、この緩衝材３６を介してディスク３４が載置される。緩衝材３６はゴムのように表面の摩擦力が大きく、弾力のある材質のものであれば良い。ディスク３４は、駆動装置側に設けられたクランパ（図示せず）に取り付けられたクランプマグネットと、磁性材料である鉄製のヨーク３２との間の磁気吸引力によって固定される。
【００１９】
本発明の第２の実施形態を示した図２及び図３において、ターンテーブル４４は、断面略Ｌ字状の鉄製の内側テーブル部４６と略円環状の合成樹脂製の外側テーブル部４８とで構成され、インサート成形にて一体成形されている。内側テーブル部４６は円板状の鉄板をプレス加工で断面略Ｌ字状にし、その円筒ボス部４６ａがシャフト４０の上端部に圧入のような手段で直接取り付けられている。内側テーブル部４６の円板部４６ｂには、周方向に略円弧状の切り欠きが等間隔の位置に３ケ所設けられ、その切り欠きを立ち上げ、その立ち上げ部を水平に折り曲げてヨーク４２を形成している。
【００２０】
図４は、本発明の第３の実施形態のディスク駆動用モータの要部拡大断面図である。図４において、ターンテーブル５４は、断面略Ｌ字状の鉄製の内側テーブル部５６と略円環状の合成樹脂製の外側テーブル部５８とで構成されている。内側テーブル部５６と外側テーブル部５８の当接部分は接着剤で固定されている。内側テーブル部５６は円板状の鉄板をプレス加工で断面略Ｌ字状にし、その円筒ボス部５６ａがシャフト４０の上端部に直接取り付けられている。内側テーブル部５６の円板部５６ｂには、周方向に略円弧状の切り欠きが等間隔の位置に３ケ所設けられ、その切り欠きを立ち上げ、その立ち上げ部を水平に折り曲げてヨーク５２を形成している。
【００２１】
図５は本発明の第４の実施形態のディスク駆動用モータの要部拡大断面図である。図５において、略円板状のターンテーブル６４は、合成樹脂によって形成されており、そのボス部がシャフト４０の上端部に取り付けられている。ターンテーブル６４は円環板状の鉄製のヨーク６２がシャフト４０の近傍に設けられている。ヨーク６２はターンテーブル６４の成形時にインサート成形により一体に成形される。
【００２２】
なお、図２、図４及び図５は、ターンテーブルのみ図示しているが、図１と同様に、ターンテーブルはシャフトに支持され、クランパとヨークとの間の磁気吸引力によってディスクが固定される。
【００２３】
ディスク駆動装置のモータとして図１乃至図５において図示されるモータを使用することで、シャフト又はターンテーブルとヨークとの一体構造が実現し、高速回転の際にも、ディスクをターンテーブル上に確実に固定することが可能となり、ディスクの振れによるデータの読み／書きのエラーの発生を防止し、また、不良率を低減することができるディスク駆動装置を提供することができる。
【００２４】
以上、本発明に従うディスク駆動用モータ及びこれを備えたディスク駆動装置の実施形態について説明したが、本発明はかかる実施形態に限定されるものではなく、本発明の範囲を逸脱することなく種々の変形乃至修正が可能である。
【００２５】
例えば、ヨークの構成部材は、磁性体であれば鉄以外でも良く、磁性体材料から適宜選択して使用可能である。また、切り起こしによってヨークを形成する場合、切り欠きは等間隔に３ヶ所以上設けられていれば良く、切り欠き片の形状、大きさ、位置、折り曲げの方向等はターンテーブルの形状や要求される磁力等に合わせて種々選択できる。
【００２６】
また、実施例は、クランパにクランプマグネットを有し、ターンテーブルにはヨークのみを備えたものを示しているが、ターンテーブルにヨークを介してクランプマグネットを備え、クランパを磁性体で構成するものでもよい。
【００２７】
【発明の効果】
以上説明したように、本発明のディスク駆動用モータ及びディスク駆動装置によれば、シャフトとヨーク又はターンテーブルとヨークを一体とすることにより、ターンテーブルからヨークが剥がれることを防止できるので、部品点数を増やさず、簡単な構造で、ディスクの振れによるデータの読み／書きのエラーの発生、ディスクの損傷、ディスクの着脱不能等を防止できる。また、ヨークの剥がれによる不良を低減することができる。
【図面の簡単な説明】
【図１】本発明の第１の実施形態にかかるディスク駆動用モータの断面図である。
【図２】本発明の第２の実施形態にかかるディスク駆動用モータの要部拡大断面図である。
【図３】図２のヨーク周辺の拡大断面図である。
【図４】本発明の第３の実施形態にかかるディスク駆動用モータの要部拡大断面図である。
【図５】本発明の第４の実施形態にかかるディスク駆動用モータの要部拡大断面図である。
【図６】従来のディスク駆動用モータの一部拡大断面図である。
【符号の説明】
８　ステータ
１２，４０　シャフト
１４，４４，５４，６４　ターンテーブル
１６　ロータ
２２　ロータマグネット
３２，４２，５２，６２　ヨーク
３４　ディスク
【図１】
2004055049.tif 000003
【図２】
2004055049.tif 000004
【図３】
2004055049.tif 000005
【図４】
2004055049.tif 000006
【図５】
2004055049.tif 000007
【図６】
2004055049.tif 000008